(57)【要約】【課題】  所定の開度で係止され、開方向には軽く係止を解除でき、閉方向には徐々に係止を解くことができる開閉機構を提供する。【解決手段】  回動可能に配置された一の支持体９および他の支持体７と、一の支持体９に設けられた複数の凸部１５と、他の支持体７に設けられ、凸部１５と嵌め合わされる複数の凹部２３Ａ，２３Ｂ，２３Ｃ，２３Ｄ，２３Ｅ，２３Ｆと、を有し、一の支持体９および他の支持体７が複数の所定相対位相にある場合に、複数の凸部１５および複数の凹部２３Ａ，２３Ｂ，２３Ｃ，２３Ｄ，２３Ｅ，２３Ｆの一部が嵌め合わされ、一の支持体９または他の支持体７の少なくとも一方を回動させて、凸部１５と凹部２３Ａ，２３Ｂ，２３Ｃ，２３Ｄ，２３Ｅ，２３Ｆとの嵌め合わせを解除する際に要する力が、一の回動方向と他の回動方向とで異なる開閉機構１を提供する。【選択図】  図１
2007040478.tif 000002
【特許請求の範囲】
【請求項１】
回動軸線回りに相対的に回動可能に配置された一の支持体および他の支持体と、
前記一の支持体に設けられた複数の凸部と、
前記他の支持体に設けられ、前記凸部と嵌め合わされる複数の凹部と、を有し、
前記一の支持体および前記他の支持体が複数の所定相対位相にある場合に、前記複数の凸部および前記複数の凹部の一部が嵌め合わされ、
前記一の支持体または前記他の支持体の少なくとも一方を回動させて、前記凸部と前記凹部との嵌め合わせを解除する際に要する力が、一の回動方向と他の回動方向とで異なる開閉機構。
【請求項２】
前記凹部が前記回動軸線を中心として周方向に延びる円弧状に形成され、
嵌め合わせが同時に解除される前記凸部と前記凹部の個数が前記相対回動方向に応じて異なるように、前記凹部の位置および周方向長さが設定されている請求項１記載の開閉機構。
【請求項３】
前記凹部が前記回動軸線を中心として周方向に延びるとともに、半径方向の幅寸法が、周方向の両端において異なる請求項１記載の開閉機構。
【請求項４】
前記凹部の深さ寸法が、前記回動軸線を中心として周方向の両端において異なる請求項１記載の開閉機構。
【請求項５】
前記一の支持体と前記他の支持体とを、前記回動軸線周りに回動可能に結合する結合部材が設けられ、
前記一の支持体と前記他の支持体との接触部に働く押し付け力が、前記結合部材により制御される請求項１から４のいずれかに記載の開閉機構。
【請求項６】
前記一の支持体と前記他の支持体との間の摩擦係数を制御する摺動部材が設けられた請求項１から５のいずれかに記載の開閉機構。
【請求項７】
前記一の支持体または前記他の支持体の少なくとも一方に、前記一の支持体および前記他の支持体が取りうる相対位相範囲を制限するストッパ部が設けられている請求項１から６のいずれかに記載の開閉機構。
【発明の詳細な説明】
【技術分野】
【０００１】
本発明は、開閉機構に関する。
【背景技術】
【０００２】
一般に、ピアノ、ノート型パソコン、コピー機等の事務機器における開閉用の回転蓋や、試薬保冷庫、ＤＮＡ解析装置、抗体検出装置などの分析装置における開閉蓋においては、上記蓋の一端が回転軸によって支持されると共に、他端は上下方向に回動可能に設けられている。
【０００３】
しかしながら、上述の蓋等は閉じる際には、自らの自重が蓋の閉じる方向に働くため、蓋等の閉じる勢いがつき易くなっていた。蓋等の閉じる勢いが強いと、蓋が閉じた際の衝撃により蓋や本体などが破損する恐れがあった。特に、自重が重い蓋においては、蓋等の閉じる勢いが強くなりやすく、蓋等における破損等の不具合が発生しやすかった。
そこで、上述の不具合発生を防止するため、蓋等の閉じる勢いを減少させるさまざまな技術が提案されている（例えば、特許文献１参照。）。
【特許文献１】特開平８−４６３６９号公報（第３頁、第１図）
【発明の開示】
【発明が解決しようとする課題】
【０００４】
上述の特許文献１においては、蓋あるいは本体の一方に凸部を有するストッパ部を取り付け、他方に設定カバー開度でストッパ部の凸部が形成される凹部を設けたカバー開閉機構が開示されている。
しかしながら、上述のカバー開閉機構においては、上記凸部と上記凹部との係止を解く場合、蓋の開方向、閉方向いずれの場合でも同等の力が必要であった。
【０００５】
特に、蓋に重量がある場合には、凸部と凹部とが係止された状態から、さらに蓋を開けるときに力が必要になるという問題があった。一方、凸部と凹部とが係止された状態から蓋を閉めるときには、蓋に係止を解く力と重力とが働き、蓋の閉じる勢いがつきやすいという問題があった。蓋の閉じる勢いが強くなると蓋または本体の破損が起きるという問題があった。
【０００６】
本発明は、上記の課題を解決するためになされたものであって、所定の開度で係止され、開方向には軽く係止を解除でき、閉方向には徐々に係止を解くことができる開閉機構を提供することを目的とする。
【課題を解決するための手段】
【０００７】
上記目的を達成するために、本発明は、以下の手段を提供する。
本発明は、回動軸線回りに相対的に回動可能に配置された一の支持体および他の支持体と、前記一の支持体に設けられた複数の凸部と、前記他の支持体に設けられ、前記凸部と嵌め合わされる複数の凹部と、を有し、前記一の支持体および前記他の支持体が複数の所定相対位相にある場合に、前記複数の凸部および前記複数の凹部の一部が嵌め合わされ、前記一の支持体または前記他の支持体の少なくとも一方を回動させて、前記凸部と前記凹部との嵌め合わせを解除する際に要する力が、一の回動方向と他の回動方向とで異なる開閉機構を提供する。
【０００８】
本発明によれば、複数の凸部と複数の凹部を設け、嵌め合わされる凸部と凹部との組み合わせを選択することにより、一の支持体および他の支持体を複数の所定相対位相で保持することができる。
また、一の支持体および他の支持体が複数の所定相対位相で保持されるため、一の所定相対位相における一の支持体および他の支持体の保持が解かれても、隣接する他の所定相対位相において一の支持体および他の支持体が保持される。そのため、一の支持体および他の支持体が勢いをつけて閉じることを防止できる。
【０００９】
また、上述の開閉機構によれば、凸部と凹部との嵌め合わせを一の回動方向に向けて解く場合と、他の回動方向に向けて解く場合とで、嵌め合わせを解くのに要する力が異なる。そのため、例えば、一の支持体および他の支持体を開く方向に回動させる際に要する力を、閉じる方向に回動させる際に要する力より小さくすることができる。
【００１０】
上記発明においては、前記凹部が前記回動軸線を中心として周方向に延びる円弧状に形成され、嵌め合わせが同時に解除される前記凸部と前記凹部の個数が前記相対回動方向に応じて異なるように、前記凹部の位置および周方向長さが設定されていることが望ましい。
本発明によれば、凹部が周方向に延びる円弧状に形成されているとともに、その位置および周方向長さが、嵌め合わせが同時に解除される凸部と凹部の個数が上記相対回動方向に応じて異なるように設定されている。そのため、所定位相における一の支持体および他の支持体の保持を一の回動方向へ解くのに要する力と、他の回動方向へ解くのに要する力とを異ならせることができる。
【００１１】
また、嵌め合わせが同時に解除される凸部と凹部の個数を所定個数に設定するため、一の支持体および他の支持体を所定相対位相に保持する全ての凸部と凹部との嵌め合わせが同時に解かれることがない。
つまり、一の支持体および他の支持体の相対位相が上記所定相対位相から離れるに伴い、嵌め合わされている凸部と凹部との数が少なくなる。そのため、一の支持体および他の支持体を上記所定相対位相に保持する力は、相対位相が上記所定相対位相から離れるに伴い弱くなる。
【００１２】
上記発明においては、前記凹部が前記回動軸線を中心として周方向に延びるとともに、半径方向の幅寸法が、周方向の両端において異なることが望ましい。
【００１３】
本発明によれば、凹部の回動軸線を中心とした半径方向の幅寸法が、周方向の両端において異なるように形成されているため、凸部と凹部との嵌め合わせを一の回動方向に解く際に必要な力と、他の回動方向に解く際に必要な力とを異ならせることができる。具体的には、半径方向の幅寸法が広い端部において凸部と凹部との嵌め合わせを解く際に必要となる力は、半径方向の幅寸法が狭い端部において嵌め合わせ解く際に必要となる力よりも大きくなる。
【００１４】
上記発明においては、前記凹部の深さ寸法が、前記回動軸線を中心として周方向の両端において異なることが望ましい。
【００１５】
本発明によれば、凹部の深さ寸法が周方向の両端において異なるため、凸部と凹部との嵌め合わせを一の回動方向に解く際に必要な力と、他の回動方向に解く際に必要な力とを異ならせることができる。具体的には、深さ寸法が深い側の端部において凸部と凹部との嵌め合わせを解く際に必要となる力は、深さ寸法が浅い側の端部において嵌め合わせ解く際に必要となる力よりも大きくなる。
【００１６】
また、深さ寸法が浅い側の端部において、凹部が形成された部材の表面と底面とが滑らかに連続するように形成されていてもよい。このように形成することにより、凸部と凹部との嵌め合わせを滑らかに解くことができ、嵌め合わせを解くのに必要な力を小さくすることができる。
【００１７】
上記発明においては、前記一の支持体と前記他の支持体とを、前記回動軸線周りに回動可能に結合する結合部材が設けられ、前記一の支持体と前記他の支持体との接触部に働く押し付け力が、前記結合部材により制御されることが望ましい。
本発明によれば、結合部材が、一の支持体と他の支持体との接触部に働く押し付け力を制御するため、一の支持体と他の支持体との間に働く摩擦力を制御することができる。そのため、一の支持体と他の支持体とを相対的に回動させる際に要する力を制御することができる。
【００１８】
上記発明においては、前記一の支持体と前記他の支持体との間の摩擦係数を制御する摺動部材が設けられたことが望ましい。
本発明によれば、一の支持体と他の支持体との間に摺動部材を設けたことにより、一の支持体と他の支持体との間の摩擦係数を制御することができる。そのため、一の支持体と他の支持体とを相対的に回動させる際に要する力を制御することができる。
【００１９】
上記発明においては、前記一の支持体または前記他の支持体の少なくとも一方に、前記一の支持体および前記他の支持体が取りうる相対位相範囲を制限するストッパ部が設けられていることが望ましい。
本発明によれば、一の支持体または他の支持体の少なくとも一方にストッパ部を設けたことにより、一の支持体および他の支持体が取りうる相対位相範囲を制限することができる。そのため、例えば、一の支持体または他の支持体の一方に蓋が取り付けられた場合において、ストッパ部により蓋の開き過ぎを防止できる。
【発明の効果】
【００２０】
本発明の開閉機構によれば、複数の凸部と複数の凹部を設け、嵌め合わされる凸部と凹部との組み合わせを選択することにより、一の支持体および他の支持体を複数の所定相対位相で保持することができるため、所定の開度で係止できるという効果を奏する。
また、凸部と凹部との嵌め合わせを一の回動方向に向けて解く場合と、他の回動方向に向けて解く場合とで、嵌め合わせを解くのに要する力が異なるため、例えば、一の支持体および他の支持体を開方向には軽く係止を解除でき、閉方向には徐々に係止を解くことができるという効果を奏する。
【発明を実施するための最良の形態】
【００２１】
この発明の一実施形態に係る容器の開閉機構について、図１から図８を参照して説明する。
図１は、本発明の一実施形態に係る開閉機構を備えた容器を示す概略図である。
開閉機構１は、図１に示すように、試薬などを保存する保冷庫の容器３と、容器３の上端に設けられた開口部を覆う蓋５との間に配置され、蓋５を開閉可能に支持するように配置されている。
なお、容器３は、上述のように、試薬などを保存する保冷庫の容器であってもよいし、ＤＮＡ解析装置、抗体検出装置などの分析装置の容器であってもよく、特に限定するものではない。
【００２２】
図２は、図１の開閉機構の全体構成の概略を説明する図である。
開閉機構１は、図１および図２に示すように、容器３に固定される容器側ヒンジ（他の支持体）７と、蓋５を支持するとともに、容器側ヒンジ７に対して回動軸線Ｒ回りに回動される蓋側ヒンジ（一の支持体）９と、から概略構成されている。
【００２３】
容器側ヒンジ７は、容器３とネジにより固定される固定部１１と、後述する蓋側ヒンジ９の蓋側対向面と対向する一対の容器側対向面１３とから概略構成されている。
容器側対向面１３には、後述する蓋側ヒンジ９の凹部と嵌め合わされるプレスフィットプランジャ（凸部）１５が配置されているとともに、後述する蓋側ヒンジ９の蓋側ストッパ面とともに蓋側ヒンジ９の回動範囲を制限する容器側ストッパ面（ストッパ部）１７が形成されている。
【００２４】
プレスフィットプランジャ１５は、容器側対向面１３上に想定される方形の各頂点に対応する位置と、該方形の中央に対応する位置との合計５ヶ所に配置されている。つまり、一方の容器側対向面１３に５個のプレスフィットプランジャ１５が配置され、一対の容器側対向面１３では合計１０個のプレスフィットプランジャ１５が配置されている。
【００２５】
図３は、図２のプレスフィットプランジャの配置を説明する部分断面図である。
また、プレスフィットプランジャ１５は、図３に示すように、そのボール部１５ａが外方を向くように配置され、シム１９を挟み込むことにより、容器側対向面１３からの突出高さが調整されている。
また、ボール部１５ａは、プレスフィットプランジャ１５から突出する方向に付勢されており、外部からの力により、容器側対向面１３側に押し込まれるような構成とされている。
【００２６】
蓋側ヒンジ９は、蓋５とネジにより固定される固定部１９と、上述の容器側対向面１３と対向する一対の蓋側対向面２１とから概略構成されている。
蓋側対向面２１には、上述のプレスフィットプランジャ１５と嵌め合わされる凹部２３と、上述の容器側ストッパ面１７とともに蓋側ヒンジ９の回動範囲を制限する蓋側ストッパ面（ストッパ部）２５とが形成されている。
【００２７】
凹部２３は、蓋側対向面２１の貫通孔として形成され、形状によって凹部２３Ａ，２３Ｂ，２３Ｃ，２３Ｄ，２３Ｅ，２３Ｆ，２３Ｇに分けられる。
凹部２３Ａ，２３Ｂは共に略円形に形成され、凹部２３Ａは、凹部２３Ｂよりも径が小さく形成されている。
凹部２３Ｃ，２３Ｄ，２３Ｅ，２３Ｆは、回動軸線Ｃを中心とした円に沿うように延びる長穴状に形成され、長穴の長軸方向長さは凹部２３Ｃから凹部２３Ｆの順に長くなるように形成されている。
凹部２３Ｇは、回動軸線Ｃを中心とした円に沿うように延びる長穴状であって、その一端が外部に開放された切込み形状となっている。
【００２８】
また、凹部２３Ａ，２３Ｂ，２３Ｃ，２３Ｄ，２３Ｅ，２３Ｆ，２３Ｇは、それぞれ回動軸線Ｃを中心とした複数の円周上に並んで配置されている。
具体的には、回動軸線Ｃに最も近い第１円周の上に凹部２３Ｆ，２３Ｄ，２３Ａが、蓋側ヒンジ９が開く方向に向かって並んで配置されている。第１円周の次に回動軸線Ｃに近い第２円周の上には、凹部２３Ｇ，２３Ｅ，２３Ａが同様に並んで配置されている。第２円周の次に回動軸線Ｃに近い第３円周の上には、凹部２３Ｄ，２３Ｄ，２３Ａが同様に並んで配置されている。第３円周の次に回動軸線Ｃに近い第４円周の上には、凹部２３Ｂ，２３Ｃ，２３Ｃ，２３Ａが同様に並んで配置されている。回動軸線Ｃから最も遠い第５円周の上には、凹部２３Ｂ，２３Ｂが同様に並んで配置されている。
なお、上述の第１円周、第２円周、第３円周、第４円周、第５円周の半径は、回動軸線Ｃから各プレスフィットプランジャ１５までの距離に等しい。
【００２９】
容器側対向面１３と蓋側対向面２１とは、ビス（結合部材）２７により、回動軸線Ｃ回りに回動可能に結合されている。ビス２７の周囲であって、容器側対向面１３と蓋側対向面２１との間には、樹脂から形成されたワッシャ（摺動部材）２９が配置されている。
【００３０】
次に、上記の構成からなる開閉機構１における作用について図４から図８を参照しながら説明する。まず、蓋５が開く際のプレスフィットプランジャおよび凹部の作用を説明する。
図４は、図１の蓋が閉じた状態におけるプレスフィットプランジャと凹部との嵌め合い状態を説明する図である。
蓋５が容器３の開口部を閉じた状態（開閉角（相対位相）が０°）では、図４に示すように、８つのプレスフィットプランジャ１５がそれぞれ凹部２３Ａと嵌合し、２つのプレスフィットプランジャ１５が凹部２３Ｃの一部と嵌合する。このように、プレスフィットプランジャ１５と凹部２３Ａ，２３Ｃとが嵌め合わされることで、蓋５を閉じた状態で保持する保持力が発生する。
【００３１】
図５は、図１の蓋の開閉角が２０°におけるプレスフィットプランジャと凹部との嵌め合い状態を説明する図である。
蓋５が閉じた状態から開き始めると、プレスフィットプランジャ１５と凹部２３Ａ，２３Ｃとの嵌合が解除される。その後、蓋５の開閉角が２０°に到達すると、図５に示すように、２つのプレスフィットプランジャ１５が凹部２３Ｂと、２つのプレスフィットプランジャ１５が凹部２３Ｃと、２つのプレスフィットプランジャ１５が凹部２３Ｄと、２つのプレスフィットプランジャ１５が凹部２３Ｅと、２つのプレスフィットプランジャ１５が凹部２３Ｆと嵌合する。
このように、プレスフィットプランジャ１５と凹部２３Ｂ，２３Ｃ，２３Ｄ，２３Ｅ，２３Ｆとが嵌め合わされることで、開閉角２０°で蓋５を保持する保持力が発生する。
【００３２】
そして、蓋５が開閉角２０°から更に開き始めると、まず、２つのプレスフィットプランジャ１５と凹部２３Ｂとの嵌め合いが解かれる。２ヶ所の嵌め合いが解かれることにより、蓋５の開閉角を保持する保持力が低下し、蓋５を開くのに要する力が弱くなる。
更に蓋５が開かれると、次に、２つのプレスフィットプランジャ１５と凹部２３Ｃとの嵌め合いが解かれる。合計４ヶ所の嵌め合いが解かれることにより、蓋５の開閉角度を保持する保持力が低下し、蓋５を開くのに要する力が更に弱くなる。
【００３３】
以下、蓋５が開かれるに伴い、プレスフィットプランジャ１５と凹部２３Ｄ、プレスフィットプランジャ１５と凹部２３Ｅ、プレスフィットプランジャ１５と凹部２３Ｆの順に嵌め合いが解かれる。嵌め合いが解かれるに伴い、蓋５の開閉角度を保持する保持力が低下し、蓋５を開くのに要する力が弱くなる。
【００３４】
図６は、図１の蓋の開閉角が６０°におけるプレスフィットプランジャと凹部との嵌め合い状態を説明する図である。
蓋５の開閉角が６０°に達すると、図６に示すように、２つのプレスフィットプランジャ１５が凹部２３Ｂと、２つのプレスフィットプランジャ１５が凹部２３Ｃと、４つのプレスフィットプランジャ１５が凹部２３Ｄと、２つのプレスフィットプランジャ１５が凹部２３Ｇと嵌合する。
このように、プレスフィットプランジャ１５と凹部２３Ｂ，２３Ｃ，２３Ｄ，２３Ｇとが嵌め合わされることで、開閉角６０°で蓋５を保持する保持力が発生する。
【００３５】
そして、蓋５が開閉角６０°から更に開き始めると、まず、２つのプレスフィットプランジャ１５と凹部２３Ｂとの嵌め合いが解かれる。２ヶ所の嵌め合いが解かれることにより、蓋５の開閉角を保持する保持力が低下し、蓋５を開くのに要する力が弱くなる。
以下、蓋５が開かれるに伴い、プレスフィットプランジャ１５と凹部２３Ｃ、プレスフィットプランジャ１５と凹部２３Ｇ、プレスフィットプランジャ１５と凹部２３Ｄの順に嵌め合いが解かれる。嵌め合いが解かれるに伴い、蓋５の開閉角度を保持する保持力が低下し、蓋５を開くのに要する力が弱くなる。
【００３６】
図７は、図１の蓋の開閉角が９０°におけるプレスフィットプランジャと凹部との嵌め合い状態を説明する図である。
蓋５の開閉角が９０°に達すると、図７に示すように、２つのプレスフィットプランジャ１５が凹部２３Ｂと嵌合する。プレスフィットプランジャ１５と凹部２３Ｂとが嵌め合わされることで、開閉角９０°で蓋５を保持する保持力が発生する。
そして、蓋５が開閉角９０°から更に開き始めると、２つのプレスフィットプランジャ１５と凹部２３Ｂとの嵌め合いが解かれる。嵌め合いが解かれることにより、蓋５の開閉角を保持する保持力が消滅し、蓋５を開くのに要する力が弱くなる。
【００３７】
図８は、図１の蓋の開閉角が１８０°における状態を説明する図である。
そして、蓋５の開閉角が１８０°に到達すると、図８に示すように、容器側ストッパ面１７と蓋側ストッパ面２５とが接触する。両ストッパ面１７，２５の接触により、蓋５の開閉角が１８０°以上になることが制限される。
【００３８】
蓋５が閉じる際のプレスフィットプランジャ１５および凹部２３Ａ，２３Ｂ，２３Ｃ，２３Ｄ，２３Ｅ，２３Ｆの作用は、蓋５が閉じる際の作用と略同様であるのでその説明を省略する。
【００３９】
上記の構成によれば、複数のプレスフィットプランジャ１５と複数の凹部２３Ａ，２３Ｂ，２３Ｃ，２３Ｄ，２３Ｅ，２３Ｆを設け、嵌め合わされるプレスフィットプランジャ１５と凹部２３Ａ，２３Ｂ，２３Ｃ，２３Ｄ，２３Ｅ，２３Ｆとの組み合わせを選択することにより、蓋側ヒンジ９および容器側ヒンジ７を複数の所定開閉角（０°，２０°，６０°，９０°）で保持することができる。蓋側ヒンジ９および容器側ヒンジ７が複数の開閉角で保持されるため、一の所定開閉角におけるプレスフィットプランジャ１５および凹部２３Ａ，２３Ｂ，２３Ｃ，２３Ｄ，２３Ｅ，２３Ｆの保持が解かれても、隣接する他の所定開閉角において蓋側ヒンジ９および容器側ヒンジ７が保持される。そのため、蓋側ヒンジ９および蓋５が勢いをつけて閉じることを防止できる。
【００４０】
凹部２３Ｃ，２３Ｄ，２３Ｅ，２３Ｆが周方向に延びる円弧状に形成されているとともに、凹部２３Ａ，２３Ｂ，２３Ｃ，２３Ｄ，２３Ｅ，２３Ｆの位置および周方向長さが、嵌め合わせが同時に解除されるプレスフィットプランジャ１５と凹部２３Ａ，２３Ｂ，２３Ｃ，２３Ｄ，２３Ｅ，２３Ｆの個数が蓋側ヒンジ９の回動方向に応じて異なるように設定されている。
そのため、所定開閉角における蓋側ヒンジ９の保持を蓋５が開く方向へ解くのに要する力と、蓋５が閉じる方向へ解くのに要する力とを異ならせることができる。
【００４１】
また、嵌め合わせが同時に解除されるプレスフィットプランジャ１５と凹部２３Ａ，２３Ｂ，２３Ｃ，２３Ｄ，２３Ｅ，２３Ｆの個数を所定個数に設定するため、蓋側ヒンジ９を所定開閉角に保持する全てのプレスフィットプランジャ１５と凹部２３との嵌め合わせが同時に解かれることがない。
つまり、蓋側ヒンジ９の開閉角が上記所定開閉角から離れるに伴い、嵌め合わされているプレスフィットプランジャ１５と凹部２３との数が少なくなる。そのため、蓋側ヒンジ９を上記所定開閉角に保持する力は、開閉角が上記所定開閉角から離れるに伴い弱くなる。
【００４２】
ビス２７が、蓋側ヒンジ９と容器側ヒンジ７との接触面に働く押し付け力を制御するため、蓋側ヒンジ９と容器側ヒンジ７との間に働く摩擦力を制御することができる。そのため、蓋側ヒンジ９と容器側ヒンジ７とを相対的に回動させる際に要する力を制御することができる。
蓋側ヒンジ９と容器側ヒンジ７との間にワッシャ２９を設けたことにより、蓋側ヒンジ９と容器側ヒンジ７との間の摩擦係数を制御することができる。そのため、蓋側ヒンジ９と容器側ヒンジ７とを相対的に回動させる際に要する力を制御することができる。
【００４３】
蓋側ヒンジ９および容器側ヒンジ７に、それぞれ蓋側ストッパ面２５および容器側ストッパ面１７を設けたことにより、蓋側ヒンジ９および容器側ヒンジ７が取りうる開閉角を最大１８０°に制限することができる。蓋５が最大１８０°まで開くため、作業者が容器３の背面側（図１の右側）から容器３の内部にアクセスすることができる。
また、容器側ストッパ面１７および蓋側ストッパ面２５により蓋５の開き過ぎによる破損等を防止できる。
【００４４】
なお、上述のように、凹部２３Ａ，２３Ｂの半径を変えるとともに、凹部２３Ｃ，２３Ｄ，２３Ｅ，２３Ｆの長軸方向長さが異なるように形成してもよいし、凹部２３の回動軸線Ｃを中心とした半径方向の幅寸法を一方の端部と他方の端部とで異なるように形成してもよい。
このように凹部２３を形成することにより、プレスフィットプランジャ１５と凹部２３との嵌め合わせを蓋５が開く方向に解く際に必要な力と、蓋５が閉じる方向に解く際に必要な力とを異ならせることができる。具体的には、上記半径方向の幅寸法が広い端部においてプレスフィットプランジャ１５と凹部との嵌め合わせを解く際に必要となる力を、幅寸法が狭い端部において嵌め合わせ解く際に必要となる力よりも大きくすることができる。
【００４５】
また、凹部２３の深さ寸法が、回動軸線Ｃを中心とした周方向の端部において異なるように形成されていてもよい。
このように凹部２３を形成することにより、プレスフィットプランジャ１５と凹部２３との嵌め合わせを蓋５が開く方向に解く際に必要な力と、蓋５が閉じる方向に解く際に必要な力とを異ならせることができる。具体的には、深さ寸法が深い側の端部においてプレスフィットプランジャ１５と凹部２３との嵌め合わせを解く際に必要となる力を、深さ寸法が浅い側の端部において嵌め合わせ解く際に必要となる力よりも大きくすることができる。
【００４６】
また、深さ寸法が浅い側の端部において、凹部２３が形成された蓋側対向面２１の表面と底面とが滑らかに連続するように形成されていてもよい。このように形成することにより、プレスフィットプランジャ１５と凹部２３との嵌め合わせを滑らかに解くことができ、嵌め合わせを解くのに必要な力を小さくすることができる。
【００４７】
なお、本発明の技術範囲は上記実施形態に限定されるものではなく、本発明の趣旨を逸脱しない範囲において種々の変更を加えることが可能である。
例えば、上記実施の形態においては、蓋５の開閉角が０°，２０°，６０°，９０°で保持される構成に適用して説明したが、保持する開閉角は上述のものに限られることなく、その他所定の開閉角で保持される構成に適用することができるものである。
また、上記の実施の形態においては、開口部が略水平な容器３における開閉機構１に適用して説明したが、開口部が傾斜した容器３等の開閉機構など、その他各種の容器の開閉機構に適用することができるものである。
【００４８】
また、上記の実施の形態においては、この発明を保冷庫の容器やＤＮＡ解析装置、抗体検出装置などの分析装置の容器などの蓋の開閉機構に適用して説明したが、この発明は上記容器における開閉機構に限られることなく、その他ピアノ、ノート型パソコン、コピー機等の事務機器における開閉用の回転蓋の開閉機構に適用できるものである。
【図面の簡単な説明】
【００４９】
【図１】本発明の一実施形態に係る開閉機構を備えた容器を示す概略図である。
【図２】図１の開閉機構の全体構成の概略を説明する図である。
【図３】図２のプレスフィットプランジャの配置を説明する部分断面図である。
【図４】図１の蓋が閉じた状態におけるプレスフィットプランジャと凹部との嵌め合い状態を説明する図である。
【図５】図１の蓋の開閉角が２０°におけるプレスフィットプランジャと凹部との嵌め合い状態を説明する図である。
【図６】図１の蓋の開閉角が６０°におけるプレスフィットプランジャと凹部との嵌め合い状態を説明する図である。
【図７】図１の蓋の開閉角が９０°におけるプレスフィットプランジャと凹部との嵌め合い状態を説明する図である。
【図８】図１の蓋の開閉角が１８０°における状態を説明する図である。
【符号の説明】
【００５０】
１  開閉機構
７  容器側ヒンジ（他の支持体）
９  蓋側ヒンジ（一の支持体）
１５  プレスフィットプランジャ（凸部）
１７  容器側ストッパ面（ストッパ部）
２３，２３Ａ，２３Ｂ，２３Ｃ，２３Ｄ，２３Ｅ，２３Ｆ  凹部
２５  蓋側ストッパ面（ストッパ部）
２７  ビス（結合部材）
２９  ワッシャ（摺動部材）
Ｃ  回動軸線
【図１】
2007040478.tif 000003
【図２】
2007040478.tif 000004
【図３】
2007040478.tif 000005
【図４】
2007040478.tif 000006
【図５】
2007040478.tif 000007
【図６】
2007040478.tif 000008
【図７】
2007040478.tif 000009
【図８】
2007040478.tif 000010